(57)【要約】【課題】  壁躯体３に対する工事を減らして、工期の短縮及び工費の低減を図ること、及び室外Ｏｕの騒音が換気ガラリ４３及び換気レジスタ４５を経由して室内Ｉｎに侵入することを十分に抑制すること。【解決手段】  サッシ枠７内にエアコンの配管２５を収容するボックス２７が障子２１，２３と隣接するように設けられ、ボックス２７の上部にエアコンの配管２５を挿通可能なインナー配管穴３１が形成され、蓋部材３９がボックス２７のボックス開口部２９を塞ぐように設けられ、蓋部材３９の下部にエアコンの配管２５を挿通可能なアウター配管穴４１が形成され、蓋部材３９にアウター換気具４３が設けられ、ボックス２７にアウター換気具４３に対して上下に離隔したインナー換気具４５が設けられたこと。【選択図】      図１
2006052598.tif 000002
【特許請求の範囲】
【請求項１】
壁躯体の躯体開口部に設けられた四角形状のサッシ枠と；
前記サッシ枠内に設けられた障子と；
前記サッシ枠内に前記障子と隣接するように設けられ、室外側に向かって開口したボックス開口部を有してあって、上部に前記エアコンの配管を挿通可能なインナー配管穴が形成され、エアコンの配管を収容するボックスと；
前記ボックスの前記ボックス開口部を塞ぐように設けられ、下部に前記エアコンの配管を挿通可能なアウター配管穴が形成された蓋部材と；
前記蓋部材に設けられ、室外から前記ボックス内へ外気を取入れるアウター換気具と；
前記ボックスに設けられ、前記アウター換気具に対して上下に離隔してあって、前記ボックス内から室内へ外気を送るインナー換気具と；
を具備したことを特徴とするサッシ。
【請求項２】
前記ボックスの裏面全域に設けられた断熱材と；
を具備したことを特徴とする請求項１に記載のサッシ。
【請求項３】
前記蓋部材は、前記サッシ枠に取外し可能に構成されたことを特徴とする請求項１又は請求項２に記載のサッシ。
【発明の詳細な説明】
【技術分野】
【０００１】
本発明は、マンション、一般住宅等の建築物に用いられるサッシに関する。
【背景技術】
【０００２】
マンション等の建築物における壁躯体の躯体開口部の周辺構造は、次のようになっている。
【０００３】
即ち、前記壁躯体の躯体開口部には、サッシが設置されており、このサッシは、前記躯体開口部に設けられた長方形状のサッシ枠と、このサッシ枠に設けられた一対の障子とを具備している。また、前記壁躯体における前記サッシの近傍には、室外と室内を連通する換気用の穴が形成されており、この換気用の穴の室外側には、室外から前記換気用の穴へ外気を取入れるアウター換気具が設けられてあって、前記換気用の穴の室内側には、前記換気用の穴から室内へ外気を送るインナー換気具が設けられている。更に、前記壁躯体における前記サッシの近傍には、エアコンの配管を挿通可能な配管用の穴が形成されている。
【０００４】
なお、本発明に関連する先行技術として特許文献１、特許文献２に示すものがある。
【特許文献１】特開２００３−４１８５９号公報
【特許文献２】特開２０００−２２０３６３号公報
【発明の開示】
【発明が解決しようとする課題】
【０００５】
ところで、前述のように、室外と室内を連通させるためには、前記壁躯体に前記換気用の穴を加工することが必要であって、室外と室内に亘って前記エアコンの配管を介在させるためには、前記壁躯体に前記配管用の穴を加工することが必要である。そのため、前記壁躯体に対する工事が増えて、工期が長くなる共に、工費が高くなるという問題がある。
【０００６】
また、前記サッシの設置に際して十分な防音対策が採られていても、室外の騒音が前記アウター換気具及び前記インナー換気具を経由して室内に侵入することを十分に抑制することができず、生活環境が損なわれるという問題がある。
【課題を解決するための手段】
【０００７】
請求項１に記載の発明にあっては、壁躯体の躯体開口部に設けられた四角形状のサッシ枠と；
前記サッシ枠内に設けられた障子と；
前記サッシ枠内に前記障子と隣接するように設けられ、室外側に向かって開口したボックス開口部を有してあって、上部に前記エアコンの配管を挿通可能なインナー配管穴が形成され、エアコンの配管を収容するボックスと；
前記ボックスの前記ボックス開口部を塞ぐように設けられ、下部に前記エアコンの配管を挿通可能なアウター配管穴が形成された蓋部材と；
前記蓋部材に設けられ、室外から前記ボックス内へ外気を取入れるアウター換気具と；
前記ボックスに設けられ、前記アウター換気具に対して上下に離隔してあって、前記ボックス内から室内へ外気を送るインナー換気具と；
を具備したことを特徴とする。
【０００８】
請求項１に記載の発明特定事項によると、前記サッシの構成要素の１つである前記蓋部材に前記アウター換気具が設けられ、前記サッシの構成要素の１つである前記ボックスに前記インナー換気具が設けられているため、前記サッシを前記躯体開口部に設置することにより、前記壁躯体に換気用の穴を加工することなく、室外と室内を連通させることができる。
【０００９】
同様に、前記ボックスの上部に前記インナー配管穴が形成され、前記蓋部材の下部に前記アウター配管穴が形成されているため、前記サッシを前記躯体開口部に設置することにより、前記壁躯体に配管用の穴を加工することなく、室外と室内に亘って前記エアコンの配管を介在させることができる。
【００１０】
また、前記蓋部材に前記アウター換気具が設けられ、前記ボックスに前記インナー換気具が設けられてあって、前記インナー換気具は前記アウター換気具に対して上下に離隔してあるため、前記ボックス内を侵入した外気の音波が前記エアコンの配管に干渉することになって、外気の音波のエネルギーを十分に低減することができる。
【００１１】
請求項２に記載の発明にあっては、請求項１に記載の発明特定事項の他に、前記ボックスの裏面全域に設けられた断熱材と；
を具備したことを特徴とする。
【００１２】
請求項２に記載の発明特定事項によると、請求項１に記載の発明特定事項による作用の他に、前記断熱材によって、前記ボックスの結露を防ぐことができると共に、前記外気の音波のエネルギーの一部を吸収することができる。
【００１３】
請求項３に記載の発明にあっては、請求項１又は請求項２に記載の発明特定事項の他に、前記蓋部材は、前記サッシ枠に取外し可能に構成されたことを特徴とする。
【００１４】
請求項３に記載の発明特定事項によると、請求項１又は請求項２に記載の発明特定事項による作用の他に、前記蓋部材は前記サッシ枠に取外し可能に構成されているため、前記蓋部材を前記サッシ枠から取外して、前記エアコンの配管の保守、点検、及び交換等を行うことができる。
【発明の効果】
【００１５】
請求項１から請求項３の内のいずれかの請求項に記載の発明によれば、前記サッシを前記躯体開口部に設置することにより、前記壁躯体に換気用の穴及び前記配管用の穴を加工することなく、室外と室内を連通させるたり、室外と室内に亘って前記エアコンの配管を介在させたりするこができるため、前記壁躯体に対する工事を減らして、工期の短縮及び工費の低減を図ることができる。
【００１６】
また、前記ボックスに侵入した外気の音波が前記エアコンの配管に干渉することによって、外気の音波のエネルギーを十分に低減することができるため、室外の騒音が前記アウター換気具及び前記インナー換気具を経由して室内に侵入することを十分に抑制することができ、居住者の生活環境を快適に保つことができる。特に、請求項２又は請求項３に記載の発明よれば、前記断熱材によって前記外気の音波のエネルギーの一部を吸収することができるため、前述の効果がより向上する。
【発明を実施するための最良の形態】
【００１７】
本発明の実施形態について図１から図４を参照して説明する。
【００１８】
ここで、図１は、本発明の実施形態に係わるサッシの正面図であって、図２は、図１におけるII-II線に沿った図であって、図３は、図１におけるIII-III線に沿った図であって、図４は、図１におけるIV-IV線に沿った図である。なお、特許公報掲載時の図面の向きを基準として、「上下」とは、図１から図３において上下，図４において紙面に向かって表裏のことであって、「左右」とは、図１及び図４において左右，図２及び図３において紙面に向かって裏表のことをいう。
【００１９】
図１から図４に示すように、本発明の実施形態に係わるサッシ１は、マンション、一般住宅等の建築物に用いられ、建築物の壁躯体３の躯体開口部５に設置されるものである。そして、サッシ１の具体的な構成は、次のようになる。
【００２０】
即ち、躯体開口部５には、サッシ枠７が外枠９を介して設けられている。ここで、サッシ枠７は、左右方向に延びた上サッシ枠部材７ａと、左右方向へ延びかつ上サッシ枠部材７ａに対して上下に対向した下サッシ枠部材７ｂと、上下方向へ延びかつ上サッシ枠部材７ａの左端部と下サッシ枠部材７ｂの左端部を連結する左サッシ枠部材７ｃと、上下方向へ延びかつ上サッシ枠部材７ａの右端部と下サッシ枠部材７ｂの右端部を連結する右サッシ枠部材７ｄと、上下方向へ延びかつ左サッシ枠部材７ｃと右サッシ枠部材７ｄの間に位置する中間サッシ枠部材７ｅとからなる。
【００２１】
なお、外枠９は、左右方向へ延びた上外枠部材９ａと、左右方向へ延びた下外枠部材９ｂと、上下方向へ延びた左外枠部材９ｃと、上下方向へ延びた右外枠部材９ｄとからなっており、上外枠部材９ａ、下外枠部材９ｂ、左外枠部材９ｃ、及び右外枠部材９ｄは、複数のアンカーボルト１１等によって壁躯体３に固定されている。
【００２２】
上サッシ枠部材７ａにおける中間サッシ枠部材７ｅと右サッシ枠部材７ｄの間には、左右方向へ延びたアウターガイド１３とインナーガイド１５が形成されており、下サッシ枠部材７ｂにおける中間サッシ枠部材７ｅと右サッシ枠部材７ｄの間には、左右方向へ延びたアウターガイド１７とインナーガイド１９が形成されている。そして、上下一対のアウターガイド１３，１７には、アウター障子２１が左右方向へ移動可能に設けられており、上下一対のインナーガイド１５，１９には、インナー障子２３が左右方向へ移動可能に設けられている。
【００２３】
サッシ枠７にける中間サッシ枠部材７ｅの左側には、エアコンの配管２５を収納するボックス２７が障子（アウター障子２１とインナー障子２３）に隣接するように設けられており、このボックス２７は、室外Ｏｕ側に向かって開口したボックス開口部２９を有している。また、ボックス２７の上部には、エアコンの配管２５を挿通可能なインナー配管穴３１が形成されており、ボックス２７の裏面全域には、断熱材３３が設けられている。なお、エアコンの配管２５の一端部は、室外Ｏｕに配置したエアコン室外機３５に接続可能であって、エアコンの配管２５の他端部は、室内Ｉｎに配置したエアコン室内機３７に接続可能である。
【００２４】
サッシ枠７にける中間サッシ枠部材７ｅの左側には、蓋部材３９がボックス開口部２９を塞ぐように設けられており、この蓋部材３９は、ビス等を緩めることによってサッシ枠７に対して取外し可能に構成されている。また、蓋部材３９の下部には、エアコンの配管２５を挿通可能なアウター配管穴４１が形成されている。
【００２５】
蓋部材３９の下部には、室外Ｏｕからボックス２７内へ外気を取入れるアウター換気具としての換気ガラリ４３が設けられており、この換気ガラリ４３は、アウター配管穴４１の上側に位置している。また、ボックス２７の上部には、ボックス２７内から室内Ｉｎへ外気を送るインナー換気具としての換気レジスタ４５が設けられており、この換気レジスタ４５は、インナー配管穴３１の下側に位置してあって、換気ガラリ４３に対して上下に離隔してある。
【００２６】
なお、サッシ枠７の外周及び蓋部材３９の外周には、シール部材４７，４９がそれぞれ設けられている。
【００２７】
次に、本発明の実施形態の作用について説明する。
【００２８】
サッシ１の構成要素の１つである蓋部材３９に換気ガラリ４３が設けられ、サッシ１の構成要素の１つであるボックス２７に換気レジスタ４５が設けられているため、サッシ１を躯体開口部５に設置することにより、壁躯体３に換気用の穴を加工することなく、室外Ｏｕと室内Ｉｎを連通させることができる。
【００２９】
同様に、ボックス２７の上部にインナー配管穴３１が形成され、蓋部材３９の下部にアウター配管穴４１が形成されているため、サッシ１を躯体開口部５に設置することにより、壁躯体３に配管用の穴を加工することなく、室外Ｏｕと室内Ｉｎに亘ってエアコンの配管２５を介在させることができる。
【００３０】
また、蓋部材３９に換気ガラリ４３が設けられ、ボックス２７に換気レジスタ４５が設けられてあって、換気レジスタ４５は換気ガラリ４３に対して上下に離隔してあるため、ボックス２７内を侵入した外気の音波がエアコンの配管２５に干渉することになって、外気の音波のエネルギーを十分に低減することができる。更に、断熱材３３によって、ボックス２７の結露を防ぐ他に、前記外気の音波のエネルギーの一部を吸収することができる。
【００３１】
また、蓋部材３９はサッシ枠７に取外し可能に構成されているため、蓋部材３９をサッシ枠７から取外して、エアコンの配管２５の保守、点検、及び交換等を行うことができる。
【００３２】
以上の如き、本発明の実施形態によれば、サッシ１を躯体開口部５に設置することにより、壁躯体３に前記換気用の穴及び前記配管用の穴を加工することなく、室外Ｏｕと室内Ｉｎを連通させるたり、室外Ｏｕと室内Ｉｎに亘ってエアコンの配管２５を介在させたりするこができるため、壁躯体３に対する工事を減らして、工期の短縮及び工費の低減を図ることができる。
【００３３】
また、ボックス２７内を侵入した外気の音波がエアコンの配管２５に干渉することになって、外気の音波のエネルギーを十分に低減すると共に、断熱材３３によって前記外気の音波のエネルギーの一部を吸収することができるため、室外Ｏｕの騒音が換気ガラリ４３及び換気レジスタ４５を経由して室内Ｉｎに侵入することを十分に抑制することができ、生活環境を快適に保つことができる。
【００３４】
なお、本発明は、前述の発明の実施形態の説明に限るものではなく、適宜の変更を行うことにより、その他種々の態様で実施可能である。
【図面の簡単な説明】
【００３５】
【図１】本発明の実施形態に係わるサッシの正面図である。
【図２】図１におけるII-II線に沿った図である。
【図３】図１におけるIII-III線に沿った図である。
【図４】図１におけるIV-IV線に沿った図である。
【符号の説明】
【００３６】
Ｉｎ      室内
Ｏｕ      室外
１        サッシ
３        壁躯体
５        躯体開口部
７        サッシ枠
２１        アウター障子
２３        インナー障子
２５        エアコンの配管
２７        ボックス
２９        ボックス開口部
３１        インナー配管穴
３３        断熱材
３９        蓋部材
４１        アウター配管穴
４３        換気ガラリ
４５        換気レジスタ
【図１】
2006052598.tif 000003
【図２】
2006052598.tif 000004
【図３】
2006052598.tif 000005
【図４】
2006052598.tif 000006